【手続補正書】
【提出日】令和2年2月18日(2020.2.18)
【手続補正１】
【補正対象書類名】特許請求の範囲
【補正対象項目名】全文
【補正方法】変更
【補正の内容】
【特許請求の範囲】
【請求項１】
照明システムであって、
複数の発光ダイオードからの光を受けるように構成された光ガイドであり、前記複数の発光ダイオードは当該光ガイドの外周に近接して位置する、光ガイド、
を有し、
前記外周は第１の外周位置を含み、
前記受けた光は、前記光ガイドの中をガイド光として導かれることができ、
前記光ガイドは発光面を有し、該発光面は、前記ガイド光の少なくとも一部が該発光面を通って前記光ガイドを出て行くことを可能にするように構成され、
前記光ガイドは、前記発光面の反対側に反射面を有し、
前記反射面は、反射された部分がガイド光として前記光ガイド内にとどまるように、前記ガイド光の少なくとも一部を反射するように構成され、
前記反射面は、前記反射面に沿って互いに概して平行に延在する複数の溝を含み、
各溝が、前記反射面の中まで延在し、
各溝が、それぞれの角度付き表面傾斜角で前記第１の外周位置に向けて傾斜された第１の表面を含み、
各溝が、前記第１の表面に隣接して、前記発光面に対して概して直交する向きの第２の表面を含む、
照明システム。
【請求項２】
前記複数の溝のうちの第１の溝は、第１の深さ及び第１の角度付き表面傾斜角を持ち、
前記複数の溝のうちの第２の溝は、前記第１の深さとは異なる第２の深さ、及び前記第１の角度付き表面傾斜角とは異なる第２の角度付き表面傾斜角を持つ、
請求項１に記載の照明システム。
【請求項３】
前記複数の溝は、前記第１の外周位置からの距離が増すにつれて深さを増しており、前記角度付き表面傾斜角は、前記第１の外周位置からの距離が増すにつれて前記第１の表面と前記第２の表面との間の鋭角が小さくなるように変化している、請求項２に記載の照明システム。
【請求項４】
前記複数の溝は、前記第２の表面が概して等間隔であるように離間されている、請求項２に記載の照明システム。
【請求項５】
前記複数の溝は、前記第２の表面が概して等間隔でないように離間されている、請求項１に記載の照明システム。
【請求項６】
前記複数の溝は、前記第１の外周位置からの距離が増すにつれて間隔を狭くしている、請求項５に記載の照明システム。
【請求項７】
前記複数の溝における前記溝は、概して同じ深さ及び概して同じ角度付き表面傾斜角を持つ、請求項５に記載の照明システム。
【請求項８】
前記反射面は更に、前記複数の溝における隣接する溝の間に配置された複数のガウシアン拡散ドットを含む、請求項１に記載の照明システム。
【請求項９】
前記発光面は、前記発光面上に印刷された複数のガウシアン拡散ドットを含み、且つ
各ガウシアン拡散ドットが、エポキシ系材料内に配置された複数のマイクロビーズを含み、該マイクロビーズは、前記エポキシ系材料の屈折率とは異なる屈折率を持つ、
請求項１に記載の照明システム。
【請求項１０】
当該照明システムは更に、前記反射面に隣接して且つ前記反射面に概して平行に配置されたリフレクタを含み、該リフレクタは、前記反射面を通って前記光ガイドを出たガイド光を前記反射面の方に反射し返すように構成されている、請求項１に記載の照明システム。
【請求項１１】
前記光ガイドの前記外周に近接して配置され、前記ガイド光を形成するように前記光ガイド内に光を向けるように構成された前記複数の発光ダイオード、を更に有する請求項１に記載の照明システム。
【請求項１２】
前記複数の発光ダイオードは、前記光ガイドの前記外周の周りの複数の個別セグメントの間で分割され、且つ
前記個別セグメントのうちの第１のものと、前記個別セグメントのうちの第２のものとが、異なる数の発光ダイオードを含む、
請求項１１に記載の照明システム。
【請求項１３】
前記複数の発光ダイオードは、前記光ガイドの前記外周の周りの複数の個別セグメントの間で分割され、
前記個別セグメントの各々内の前記発光ダイオードが電気的に直列に接続され、且つ
前記複数の個別セグメントが電気的に並列に接続される、
請求項１１に記載の照明システム。
【請求項１４】
前記複数の発光ダイオードは、前記光ガイドの前記外周の周りの複数の個別セグメントの間で分割され、且つ
当該照明システムは更に、前記個別セグメントに電力供給するように構成されたコントローラを有し、該コントローラは、前記個別セグメントのうちの第１のものに第１の電流を供給し、前記個別セグメントのうちの第２のものに、前記第１の電流とは異なる第２の電流を供給するように構成される、
請求項１１に記載の照明システム。
【請求項１５】
前記個別セグメントのうちの前記第１のものと、前記個別セグメントのうちの前記第２のものとが、同数の発光ダイオードを含み、
前記第１の電流は動作的に、前記第１のセグメントに第１の輝度を確立し、且つ
前記第２の電流は動作的に、前記第２のセグメントに前記第１の輝度とは異なる第２の輝度を確立する、
請求項１４に記載の照明システム。
【請求項１６】
光を放射するための方法であって、
複数の発光ダイオードからの光を光ガイドで受け、前記複数の発光ダイオードは前記光ガイドの外周に近接して位置し、前記外周は第１の外周位置を含み、
前記受けた光をガイド光として前記光ガイドの中でガイドし、
前記ガイド光の少なくとも一部を、前記光ガイドの発光面を通って前記光ガイドを出て行くように導き、
前記ガイド光の少なくとも一部を前記光ガイドの反射面で反射し、前記反射面は前記発光面の反対側に位置し、前記反射された部分はガイド光として前記光ガイド内にとどまる、
ことを有し、
前記反射面は、前記反射面に沿って互いに概して平行に延在する複数の溝を含み、
各溝が、前記反射面の中まで延在し、
各溝が、それぞれの角度付き表面傾斜角で前記第１の外周位置に向けて傾斜された第１の表面を含み、
各溝が、前記第１の表面に隣接して、前記発光面に対して概して直交する向きの第２の表面を含む、
方法。
【請求項１７】
照明システムであって、
概して円形の外周を持つ光ガイドと、
前記光ガイドの前記外周に近接して位置し、ガイド光として前記光ガイドの中心に向けて光を前記光ガイド内に向けるように構成された複数の発光ダイオードと、
を有し、
前記外周は第１の外周位置を含み、
前記光ガイドは発光面を有し、該発光面は、前記ガイド光の少なくとも一部が該発光面を通って前記光ガイドを出て行くことを可能にするように構成され、
前記光ガイドは、前記発光面の反対側に反射面を有し、
前記反射面は、反射された部分がガイド光として前記光ガイド内にとどまるように、前記ガイド光の少なくとも一部を反射するように構成され、
前記反射面は、前記反射面に沿って互いに概して平行に延在する複数の溝を含み、
各溝が、前記反射面の中まで延在し、
各溝が、それぞれの角度付き表面傾斜角で前記第１の外周位置に向けて傾斜された第１の表面を含み、
各溝が、前記第１の表面に隣接して、前記発光面に対して概して直交する向きの第２の表面を含み、
前記複数の発光ダイオードは、前記光ガイドの前記外周の周りの複数の個別セグメントの間で分割され、
前記個別セグメントのうちの第１のものが、第１の輝度を持つ光を生成するように構成され、
前記個別セグメントのうちの第２のものが、前記第１の輝度とは異なる第２の輝度を持つ光を生成するように構成される、
照明システム。
【請求項１８】
前記個別セグメントのうちの前記第１のものと、前記個別セグメントのうちの前記第２のものとが、異なる数の発光ダイオードを含む、請求項１７に記載の照明システム。
【請求項１９】
前記複数の個別セグメントに電力供給するように構成されたコントローラ、を更に有する請求項１７に記載の照明システム。
【請求項２０】
前記コントローラは更に、前記個別セグメントのうちの第１のものに第１の電流を供給し、前記個別セグメントのうちの第２のものに、前記第１の電流とは異なる第２の電流を供給するように構成され、
前記個別セグメントのうちの前記第１のものと、前記個別セグメントのうちの前記第２のものとが、同数の発光ダイオードを含み、
前記第１の電流は動作的に、前記第１のセグメントに前記第１の輝度を確立し、且つ
前記第２の電流は動作的に、前記第２のセグメントに前記第２の輝度を確立する、
請求項１９に記載の照明システム。